(57)【要約】【課題】簡易な構成でスペックルノイズやシンチレーションを低減して良質な画像を表示することができる投写型表示装置を得ること。【解決手段】背面側から透過型スクリーン上に画像を投写して画像表示を行なう投写型表示装置において、レーザ光源から出射された光束を透過型スクリーン側へ導く照明光学系と、映像表示素子の被照明領域に形成された画像を透過型スクリーン上に拡大投写するとともにＦナンバーと投写光学系の投影倍率との積が４００未満となるように形成された投写光学系と、入射光を拡散して第１の拡散光として出射する第１の光拡散層を有するフレネルレンズおよび第１の拡散光をさらに拡散して出射する第２の光拡散層を有するレンチキュラーレンズを具備した透過型スクリーンと、を備え、第２の光拡散層の厚みＤＴＬを、３００μｍよりも薄くしておく。【選択図】図１３
2011090280.tif 000002
【特許請求の範囲】
【請求項１】
背面側から透過型スクリーン上に画像を投写して画像表示を行なう投写型表示装置において、
光を出射する光源と、
前記光源から出射された光束を所定の光路内へ伝播させて前記透過型スクリーン側へ導く照明光学系と、
前記照明光学系が導いてくる光束によって照明される被照明領域に、前記透過型スクリーンへ表示させる画像を形成する映像表示素子と、
前記映像表示素子の被照明領域に形成された画像を前記透過型スクリーン上に拡大投写する投写光学系と、
入射光を略平行な光に変換して出射するフレネルレンズおよび前記フレネルレンズからの出射光を所定の拡散光として出射するレンチキュラーレンズを有した透過型スクリーンと、
を備え、
前記投写光学系は、前記投写光学系のＦナンバーと前記投写光学系の投影倍率との積が４００未満となるよう形成され、
前記フレネルレンズは、入射光を拡散して第１の拡散光として出射する第１の光拡散層を有するとともに、前記レンチキュラーレンズは、前記第１の拡散光をさらに拡散して第２の拡散光として出射する第２の光拡散層を有し、かつ前記第２の光拡散層の厚みは、３００μｍよりも薄いことを特徴とする投写型表示装置。
【請求項２】
背面側から透過型スクリーン上に画像を投写して画像表示を行なう投写型表示装置において、
光を出射する光源と、
前記光源から出射された光束を所定の光路内へ伝播させて前記透過型スクリーン側へ導く照明光学系と、
前記照明光学系が導いてくる光束によって照明される被照明領域に、前記透過型スクリーンへ表示させる画像を形成する映像表示素子と、
前記映像表示素子の被照明領域に形成された画像を前記透過型スクリーン上に拡大投写する投写光学系と、
入射光を略平行な光に変換して出射するフレネルレンズおよび前記フレネルレンズからの出射光を所定の拡散光として出射するレンチキュラーレンズを有した透過型スクリーンと、
を備え、
前記投写光学系は、前記投写光学系のＦナンバーと前記投写光学系の投影倍率との積が４００未満となるよう形成され、
前記フレネルレンズは、入射光を拡散して第１の拡散光として出射する第１の光拡散層を有するとともに、前記レンチキュラーレンズは、前記第１の拡散光をさらに拡散して第２の拡散光として出射する第２の光拡散層を有し、かつ前記第１の光拡散層の厚みは、３００μｍよりも薄いことを特徴とする投写型表示装置。
【請求項３】
前記第１の光拡散層の出射面と前記第２の光拡散層の入射面との間の距離は、４．５ｍｍ以上で７．５ｍｍ以下であることを特徴とする請求項１または２に記載の投写型表示装置。
【請求項４】
前記第１の光拡散層の拡散率は、前記第２の光拡散層の拡散率よりも小さいことを特徴とする請求項１〜３のいずれか１つに記載の投写型表示装置。
【請求項５】
前記第２の光拡散層は、少なくとも２種類の拡散要素を含有していることを特徴とする請求項１〜４のいずれか１つに記載の投写型表示装置。
【請求項６】
前記第１の光拡散層は、少なくとも２種類の拡散要素を含有していることを特徴とする請求項１〜５のいずれか１つに記載の投写型表示装置。
【請求項７】
前記光源は、レーザ光源であることを特徴とする請求項１〜６のいずれか１つに記載の投写型表示装置。
【請求項８】
前記照明光学系は、伝播してくる光を拡散させて送出する拡散部を有することを特徴とする請求項７に記載の投写型表示装置。
【請求項９】
前記光源と前記照明光学系との間に配置されるとともに、前記光源から出射された光の光束を前記照明光学系まで導く光ファイバをさらに備えることを特徴とする請求項７または８に記載の投写型表示装置。
【請求項１０】
前記照明光学系は、前記光源から出射された光の光束の光強度を均一化する光強度均一化素子を有することを特徴とする請求項１〜９のいずれか１つに記載の投写型表示装置。
【請求項１１】
前記光源からの光を前記照明光学系に導く集光光学系をさらに備え、
前記集光光学系は、伝播してくる光の偏光を変化する第１の偏光変化部を有することを特徴とする請求項１〜１０のいずれか１つに記載の投写型表示装置。
【請求項１２】
前記照明光学系は、伝播してくる光の偏光を変化する第２の偏光変化部を有することを特徴とする請求項１〜１０のいずれか１つに記載の投写型表示装置。
【発明の詳細な説明】
【技術分野】
【０００１】
本発明は、透過型スクリーン上に画像を投写して画像表示を行なう投写型表示装置に関するものである。
【背景技術】
【０００２】
近年、液晶パネル、反射型の光変調素子（反射型液晶表示素子など）を映像表示素子として用いた投写型表示装置は、高輝度化を実現するために高輝度な光源を備えて構成される傾向にある。
【０００３】
投写型表示装置の光源としては、超高圧水銀ランプやメタルハライドランプ等が用いられてきた。このようなランプを光源とした場合には、光源の寿命が短く、ランプ交換等のメンテナンス作業が頻繁に発生するという問題点があった。さらに、ランプの白色光から赤色、緑色および青色を取り出すための光学系が必要となり、装置構成が複雑になるとともに光利用効率が劣化するという問題点があった。
【０００４】
これらの問題点を解決するために、半導体レーザ等のレーザ光源を採用する試みがなされている。レーザ光源は、従来のランプ光源に比べて、寿命が長く、メンテナンス作業が長期間不要となる。また、表示画像に応じてレーザ光源を直接変調することができるので、装置が簡易な構成となり光利用効率が向上する。さらに、レーザ光源を採用することによって、色再現範囲を広くすることができるという利点を有している。
【０００５】
ところが、レーザ光源は高いコヒーレンス（可干渉性）を有しているので、レーザ光源を投写型表示装置の光源に用いた場合、透過型スクリーン内の光拡散材と光が干渉し、表示する画像がぎらつく現象（スペックルノイズもしくはシンチレーション）を発生させ、その結果、画質を劣化させてしまうという問題点があった。
【０００６】
投写型表示装置では、このスペックルノイズやシンチレーションを低減させることが望まれており、その方法として投写レンズの出射瞳径と投写距離との関係、および透過型スクリーンの拡散層の数を規定する方法が提案されている（特許文献１参照）。また、透過型スクリーンの拡散層のうち少なくとも１層を内部振動させる方法が提案されている（特許文献２参照）。
【先行技術文献】
【特許文献】
【０００７】
【特許文献１】特開平８−３１３８６５号公報
【特許文献２】特開２００１−１００３１７号公報
【発明の概要】
【発明が解決しようとする課題】
【０００８】
上記前者の従来技術では、投写レンズの出射瞳径ｄと投写距離ａの比（ｄ／ａ）を０．０６以下と規定している。しかしながら、ｄ／ａを小さく構成することによって、透過型スクリーンに入射する光の発散角が小さくなるとともに、スペックルノイズやシンチレーションを悪化させるという問題があった。
【０００９】
また、上記後者の従来技術では、透過型スクリーンの拡散層を振動させるための機構が必要となり、装置が大型化するとともに高コストになるという問題があった。また、拡散層を振動させることによって装置の動作が不安定になり、画像表示の信頼性の確保が困難になるという問題があった。
【００１０】
本発明は、上記に鑑みてなされたものであって、簡易な構成でスペックルノイズやシンチレーションを低減して良質な画像を表示することができる投写型表示装置を得ることを目的とする。
【課題を解決するための手段】
【００１１】
上述した課題を解決し、目的を達成するために、本発明は、背面側から透過型スクリーン上に画像を投写して画像表示を行なう投写型表示装置において、光を出射する光源と、前記光源から出射された光束を所定の光路内へ伝播させて前記透過型スクリーン側へ導く照明光学系と、前記照明光学系が導いてくる光束によって照明される被照明領域に、前記透過型スクリーンへ表示させる画像を形成する映像表示素子と、前記映像表示素子の被照明領域に形成された画像を前記透過型スクリーン上に拡大投写する投写光学系と、入射光を略平行な光に変換して出射するフレネルレンズおよび前記フレネルレンズからの出射光を所定の拡散光として出射するレンチキュラーレンズを有した透過型スクリーンと、を備え、前記投写光学系は、前記投写光学系のＦナンバーと前記投写光学系の投影倍率との積が４００未満となるよう形成され、前記フレネルレンズは、入射光を拡散して第１の拡散光として出射する第１の光拡散層を有するとともに、前記レンチキュラーレンズは、前記第１の拡散光をさらに拡散して第２の拡散光として出射する第２の光拡散層を有し、かつ前記第２の光拡散層の厚みは、３００μｍよりも薄いことを特徴とする。
【発明の効果】
【００１２】
この発明によれば、簡易な構成でスペックルノイズやシンチレーションを低減して良質な画像を表示することが可能になるという効果を奏する。
【図面の簡単な説明】
【００１３】
【図１】図１は、本発明の実施の形態１に係る投写型表示装置の構成を示す図である。
【図２】図２は、本発明の実施の形態１に係る投写型表示装置の投写光学系の光伝播の概念を説明するための図である。
【図３】図３は、本発明の実施の形態１に係る投写型表示装置の透過型スクリーン上で観測されるぎらつき現象を説明するための図である。
【図４】図４は、本発明の実施の形態１に係る投写型表示装置の透過型スクリーンへ入射する光の発散角の大きさと透過型スクリーンから出射する光の拡散性との関係を示す図である。
【図５】図５は、本発明の実施の形態１に係る投写型表示装置の投写光学系のＦナンバーとぎらつき現象との関係を示す図（１）である。
【図６】図６は、本発明の実施の形態１に係る投写型表示装置の投写光学系のＦナンバーとぎらつき現象との関係を示す図（２）である。
【図７】図７は、本発明の実施の形態１に係る投写型表示装置の投写光学系のＦｐ×Ｍとぎらつき現象との関係を示す図（１）である。
【図８】図８は、本発明の実施の形態１に係る投写型表示装置の投写光学系のＦｐ×Ｍとぎらつき現象との関係を示す図（２）である。
【図９】図９は、本発明の実施の形態１に係る投写型表示装置の透過型スクリーンの構成を示す図（１）である。
【図１０】図１０は、本発明の実施の形態１に係る投写型表示装置の透過型スクリーンの構成を示す図（２）である。
【図１１】図１１は、本発明の実施の形態１に係る投写型表示装置の透過型スクリーンの構成を示す図（３）である。
【図１２】図１２は、本発明の実施の形態１に係る投写型表示装置の透過型スクリーンの光拡散層の厚みとぎらつき現象との関係を示す図（１）である。
【図１３】図１３は、本発明の実施の形態１に係る投写型表示装置の透過型スクリーンの光拡散層の厚みとぎらつき現象との関係を示す図（２）である。
【図１４】図１４は、本発明の実施の形態１に係る投写型表示装置の透過型スクリーンの光拡散層の厚みとぎらつき現象、解像感との関係を示す図（１）である。
【図１５】図１５は、本発明の実施の形態１に係る投写型表示装置の透過型スクリーンの光拡散層の厚みとぎらつき現象、解像感との関係を示す図（２）である。
【図１６】図１６は、本発明の実施の形態２に係る投写型表示装置の拡散層間距離とスペックルノイズおよびシンチレーションとの関係を示す図である。
【図１７】図１７は、本発明の実施の形態２に係る投写型表示装置の拡散層間距離とスペックルノイズおよびシンチレーション、解像感との関係を示す図である。
【図１８】図１８は、本発明の実施の形態２に係る投写型表示装置の透過型スクリーンの構成を示す図（１）である。
【図１９】図１９は、本発明の実施の形態２に係る投写型表示装置の透過型スクリーンの構成を示す図（２）である。
【図２０】図２０は、本発明の実施の形態２に係る投写型表示装置の透過型スクリーンの構成を示す図（３）である。
【図２１】図２１は、本発明の実施の形態２に係る投写型表示装置の透過型スクリーン上で観測されるぎらつき現象を説明するための図（１）である。
【図２２】図２２は、本発明の実施の形態２に係る投写型表示装置の透過型スクリーン上で観測されるぎらつき現象を説明するための図（２）である。
【図２３】図２３は、実施の形態３に係る投写型表示装置の透過型スクリーンのヘイズ値とぎらつき現象との関係を示す図（１）である。
【図２４】図２４は、実施の形態３に係る投写型表示装置の透過型スクリーンのヘイズ値とぎらつき現象との関係を示す図（２）である。
【図２５】図２５は、実施の形態４に係る投写型表示装置の光学系の構成を示す図（１）である。
【図２６】図２６は、実施の形態４に係る投写型表示装置の光学系の構成を示す図（２）である。
【図２７】図２７は、実施の形態５に係る投写型表示装置の光学系の構成を示す図（１）である。
【図２８】図２８は、実施の形態５に係る投写型表示装置の光学系の構成を示す図（２）である。
【図２９】図２９は、実施の形態６に係る投写型表示装置の光学系の構成を示す図（１）である。
【図３０】図３０は、実施の形態６に係る投写型表示装置の光学系の構成を示す図（２）である。
【図３１】図３１は、実施の形態６に係る投写型表示装置の光学系の構成を示す図（３）である。
【図３２】図３２は、実施の形態６に係る投写型表示装置の光学系の構成を示す図（４）である。
【図３３】図３３は、実施の形態７に係る投写型表示装置の構成を示す図である。
【発明を実施するための形態】
【００１４】
以下に、本発明に係る投写型表示装置の実施の形態を図面に基づいて詳細に説明する。なお、この実施の形態によりこの発明が限定されるものではない。
【００１５】
実施の形態１．
図１は、本発明の実施の形態１に係る投写型表示装置の構成を示す図である。投写型表示装置１０１は、ライトバルブを用いてスクリーン上に画像を投写する背面投写型の画像表示装置である。
【００１６】
図１に示すように、実施の形態１に係る投写型表示装置１０１は、集光光学系１と、照明光学系４と、映像表示素子としての反射型光変調素子（反射型ライトバルブ）２と、照明光学系４により照明された反射型光変調素子２の被照明面（画像形成領域）２ａの画像を透過型スクリーン５に拡大投写する投写光学系３とを有している。
【００１７】
集光光学系１は、複数色（図１においては３色）のレーザ光源１１と、レーザ光源１１から出射された光束を１〜複数枚のレンズやミラーで集光する複数枚（図１においては３枚）の集光レンズ（集光部）１２とから構成されている。
【００１８】
集光光学系１では、１つのレーザ光源１１に、１つの集光レンズ１２を対応させている。したがって、各レーザ光源１１から出射された光束は、それぞれのレーザ光源１１に対応する集光レンズ１２を介して、偏光を変化させる波長板（偏光変化部）１４に送られる。そして、波長板１４でレーザ光源１１の偏光成分に位相差を生じさせられたのち、照明光学系４に導かれる。
【００１９】
投写型表示装置１０１では、波長板１４の作用によってレーザ光源１１の偏光方向を変化させているので、レーザ光源１１の可干渉性を緩和することができる。図１においては、波長板１４を集光レンズ１２の後ろ（後段）に配置した場合について説明したが、波長板１４は、レーザ光源１１の後ろ（後段）や照明光学系４内に配置してもよい。
【００２０】
照明光学系４は、集光光学系１から出射された光束の強度分布を均一化する光強度均一化素子４１と、リレーレンズ群４２と、拡散素子４４と、第１ミラー４３ａおよび第２ミラー４３ｂから構成されるミラー群４３と、を有している。そして、照明光学系４は、リレーレンズ群４２とミラー群４３によって、光強度均一化素子４１から出射した光束を反射型光変調素子２に導いている。
【００２１】
光強度均一化素子４１は、集光光学系１が出射した光束の光強度を均一化する機能（照度ムラを低減する機能など）を有している。光強度均一化素子４１は、光の入射口である入射面（入射端面）が集光レンズ１２側を向き、光の出射口である出射面（出射端面）がリレーレンズ群４２側を向くよう照明光学系４内に配設されている。光強度均一化素子４１は、例えばガラス又は樹脂等の透明材料で作製されている。光強度均一化素子４１は、側壁内側が全反射面となるように構成された多角形柱状のロッド（断面形状が多角形の柱状部材）、または光反射面を内側にして筒状に組み合わされた断面形状が多角形のパイプ（管状部材）などを含んで構成されている。
【００２２】
光強度均一化素子４１が多角柱状のロッドである場合には、透明材料と空気界面との全反射作用を利用して光を複数回反射させた後に出射端（出射口）から光を出射させる。光強度均一化素子４１が多角形のパイプである場合には、内側を向く表面鏡の反射作用を利用して光を複数回反射させた後に出射口から光を出射させる。
【００２３】
光強度均一化素子４１は、光束の進行方向に適当な長さを確保すれば、内部で複数回反射した光が光強度均一化素子４１の出射面の近傍に重畳照射され、光強度均一化素子４１の出射面の近傍では略均一な強度分布が得られる。この略均一な強度分布を有する出射面からの出射光は、リレーレンズ群４２及びミラー群４３によって反射型光変調素子２へと導かれ、反射型光変調素子２の被照明面２ａを照明する。
【００２４】
また、照明光学系４には、リレーレンズ群４２の後段に拡散素子（拡散部）４４を設けている。拡散素子４４は、リレーレンズ群４２を介して伝播してくる光を拡散させてからミラー群４３へ送ることによってスペックルを低減させる素子である。拡散素子４４は、基板上に施したホログラムパターンによって光の拡散角度を設定できるホログラフィック拡散素子などであり、レーザ光源１１のもつ可干渉性を緩和する。また、拡散素子４４を回転あるいは振動等させることによって、レーザ光源１１のもつ可干渉性を効果的に緩和することができる。
【００２５】
なお、図１においては、拡散素子４４をリレーレンズ群４２の後段に配置しているが、拡散素子４４の配置位置は、この位置に限定されるものではない。例えば、拡散素子４４を光強度均一化素子４１の前後に配置してもよい。更に、拡散素子４４を組み合わせて複数配置することにより、レーザ光源１１のもつ可干渉性を効果的に緩和することが可能となる。
【００２６】
反射型光変調素子２は、例えばＤＭＤ（Digital Micro-mirror Device）（登録商標）素子などの反射型の光変調素子である。反射型光変調素子２は、各画素に対応する可動式のマイクロミラーを多数（例えば、数十万個）平面的に配列したものであり、画素情報に応じて各マイクロミラーの傾角（チルト）を変化させるように構成されている。
【００２７】
なお、図１では、リレーレンズ群４２を１枚のレンズで構成する場合を図示したが、レンズの枚数については１枚に限定されるものではなく複数枚であってもよい。同様に、ミラー群４３についてもミラーは２枚に限定されるものではなく、ミラー群４３を１枚または３枚以上のミラーで構成してもよい。
【００２８】
ここで、投写光学系３内の光路における光伝播について説明する。図２は、投写光学系
の光伝播の概念を説明するための図であり、投写光学系３の作用（投写光学系のＦナンバーおよび投影倍率）を概念的に示している。なお、図２では、投写光学系３を模式的に示すため、投写光学系３を１つのレンズ素子として図示している。
【００２９】
本実施の形態の投写光学系３は、反射型光変調素子２の被照明面２ａと透過型スクリーン５とが光学的に共役な関係になるよう構成されている。図２において、反射型光変調素子２の被照明面２ａのサイズＳ１および発散角Ω１［ｄｅｇ］と、透過型スクリーン５のサイズＳ２および発散角Ω２[ｄｅｇ]とは幾何光学的に式（１）に示す関係にある。なお、発散角Ω１は反射型光変調素子２が放出する光の最大円錐角であり、発散角Ω２は、透過型スクリーン５が受け入れる光の最大円錐角である。
Ｓ１×Ω１＝Ｓ２×Ω２  ・・・（１）
【００３０】
反射型光変調素子２の発散角Ω１［ｄｅｇ］を用いると、投写光学系３のＦナンバー（Ｆｐ）は、式（２）によって規定することができる。
Ｆｐ＝１／（２×ｓｉｎ（Ω１／２））  ・・・（２）
【００３１】
さらに、投写光学系３の投影倍率Ｍは、反射型光変調素子２の被照明面２ａのサイズＳ１から透過型スクリーン５のサイズＳ２への拡大倍率を示しているので、投影倍率Ｍは、式（３）を用いて算出することができる。
Ｍ＝Ｓ２／Ｓ１  ・・・（３）
【００３２】
ここで、透過型スクリーン５上で観測されるスペックルノイズもしくはシンチレーションについて説明する。図３は、透過型スクリーン上で観測されるスペックルノイズもしくはシンチレーションを説明するための図である。図３では、透過型スクリーン５上におけるぎらつき現象（シンチレーション）の発生要因を概略的に示している。
【００３３】
光６１と光６２は、透過型スクリーン５内へ異なる入射角度で同じ位置から入射した場合であっても、透過型スクリーン５内の拡散層５ａ（拡散材５４を含んで構成される層）によって、同じ向きに出射させられる。また、光によっては、透過型スクリーン５内へ同じ入射角度で異なる位置から入射した場合であっても、透過型スクリーン５内の拡散層５ａによって、異なる向きに出射させられる光がある。このように、種々の位置、種々の入射角で透過型スクリーン５に入射した各光は、透過型スクリーン５内の拡散層５ａによって種々の方向に拡散され、透過型スクリーン５から出射する際には、種々の位置、種々の出射角で出てくる。これにより、拡散層５ａから出てくる光６１と光６２は、互いに強め合うかまたは打ち消し合うこととなり、出射位置で輝度差が発生する。そして、この輝度差が、スペックルノイズもしくはシンチレーションなどのぎらつき現象として観測されることとなる。
【００３４】
そこで、本実施の形態では、投写光学系３のＦナンバーＦｐと投影倍率Ｍから決定される透過型スクリーン５へ入射する光の発散角Ω２を規定する。図４は、透過型スクリーンへ入射する光の発散角の大きさと透過型スクリーンから出射する光の拡散性との関係を示す図である。図４では、投写光学系のＦナンバーとシンチレーションの関係を概略的に示している。図４（ａ）には、透過型スクリーン５へ入射する光の発散角Ω２［ｄｅｇ］が大きい場合を示し、図４（ｂ）には、透過型スクリーン５へ入射する光の発散角Ω２［ｄｅｇ］が小さい場合を示している。
【００３５】
図４（ａ）、図４（ｂ）に示すように、透過型スクリーン５へ入射する光の発散角Ω２［ｄｅｇ］が大きいほど、透過型スクリーン５を出射する光も拡散されることとなる。このように、透過型スクリーン５へ入射する光の発散角Ω２［ｄｅｇ］が大きいほど、拡散性が高くなり、ぎらつき現象は緩和されることとなる。
【００３６】
透過型スクリーン５へ入射する光の発散角Ω２［ｄｅｇ］は、式（１）より、反射型光変調素子２の被照明面２ａのサイズＳ１と発散角Ω１［ｄｅｇ］、および透過型スクリーン５のサイズＳ２を用いて算出できる。このことは、発散角Ω２［ｄｅｇ］が、投写光学系３のＦナンバーＦｐと投写光学系３の投影倍率Ｍとによって規定されることと同義である。そこで、投写光学系３のＦナンバーＦｐと投写光学系３の投影倍率Ｍを変化させた時の透過型スクリーン５上のぎらつき現象について実験した結果について説明する。
【００３７】
図５および図６は、投写光学系のＦナンバーとぎらつき現象との関係を示す図である。図５は、反射型光変調素子２の被照明面２ａの対角サイズＳ１が１６．８ｍｍ（０．６６インチ）であり、透過型スクリーン５の対角サイズＳ２が１６５１ｍｍ（６５インチ）である場合の実験結果を示している。この場合の投影倍率Ｍは、式（３）より９８．５と算出される。図５では、投影倍率Ｍが９８．５である場合に、投写光学系３のＦナンバーＦｐを２．４〜６．５まで徐々に変化させた場合のスペックルノイズやシンチレーションのレベル（丸印で示す許容レベルまたはバツ印で示す非許容レベル）を示している。
【００３８】
投写光学系３のＦナンバーＦｐを変化させた場合に、透過型スクリーン５上のスペックルノイズおよびシンチレーションがどのように変化するかを確認した。その結果、投写光学系３のＦナンバーＦｐが２．４〜４までである場合は、スペックルノイズおよびシンチレーションが許容レベルであることが分かった。
【００３９】
ところが、投写光学系３のＦナンバーＦｐが４．５以上になると、スペックルノイズおよびシンチレーションが悪化してしまうことが確認された。これにより、スペックルノイズやシンチレーションが許容レベルであるのは、投写光学系３のＦナンバーＦｐが２．４〜４の場合であり、この場合には投写光学系３のＦナンバーＦｐと投影倍率Ｍの積が４４３未満、３９５以下である条件を満たすことがわかり、４００以下であるという条件を満たしていることがわかる。
【００４０】
また、図６は、反射型光変調素子２の被照明面２ａの対角サイズＳ１が１７．８ｍｍ（０．７インチ）であり、透過型スクリーン５の対角サイズＳ２が１２７０ｍｍ（５０インチ）である場合の実験結果を示している。このように、図６では、図５の場合よりも投影倍率Ｍ（７１．４）が小さくなるよう投写型表示装置１０１を構成した場合の実験結果を示している。
【００４１】
この投写型表示装置１０１に対しても、図５の場合と同様に、投写光学系３のＦナンバーＦｐを変化させた場合に、透過型スクリーン５上のスペックルノイズおよびシンチレーションがどのように変化するかを確認した。その結果、投写光学系３のＦナンバーＦｐが２．４〜５．５までである場合は、スペックルノイズおよびシンチレーションが許容レベルであることが分かった。これにより、スペックルノイズやシンチレーションが許容レベルとなる場合には、図５の場合と同様に、投写光学系３のＦナンバーＦｐと投影倍率Ｍとの積が４２９未満、３９３以下である条件を満たすことがわかり、４００以下であるという条件を満たしていることがわかる。
【００４２】
ここで、理解を容易にするために図５と図６のスペックルノイズおよびシンチレーションを数値で表した結果を図７と図８に示す。スペックルノイズおよびシンチレーションの評価は、画面上の平均輝度に対して、ある閾値以上の輝度を持つ画素の数を数えて求める。
【００４３】
図７と図８より、Ｆｐ×Ｍの値が４００より大きい場合と４００より小さい場合とでは、Ｆｐ×Ｍの値の変化に対するスペックルノイズおよびシンチレーション評価値の変化量が明らかに異なることが分かる。つまり、Ｆｐ×Ｍの値が４００より大きい場合は、Ｆｐ×Ｍの値を下げることによるスペックルノイズおよびシンチレーション評価値の減少量が大きく、スペックルノイズおよびシンチレーション改善のためにＦｐ×Ｍの値を下げることが有効であることが分かる。一方、Ｆｐ×Ｍの値が４００より小さい場合は、Ｆｐ×Ｍの値を下げることによるシンチレーション評価値の減少量が小さく、スペックルノイズおよびシンチレーション改善のためにＦｐ×Ｍの値を下げることの効果が小さいことが分かる。
【００４４】
以上より、照明光学系４によるスペックルノイズおよびシンチレーションの改善は、Ｆｐ×Ｍの値が４００以下であるという条件を満足すること、実験結果の値を用いて説明すればＦｐ×Ｍの値が３９５から３９３までの値以下であるという条件を満足することで大きな効果を得ることができる。
【００４５】
なお、上記実験条件の内、後述する第１の拡散層の入射面と第２の拡散層の出射面との距離（外側の拡散層間距離すなわち拡散層間の最大距離）ＴＦＬｏは５．１ｍｍ、拡散層５１а，５２аの厚みＤＴＦ、ＤＴＬはともに２７５μｍ、フレネルレンズ（フレネルレンズシート）５１のヘイズ値Ｈ１を４０％、レンチキュラーレンズ（レンチキュラーレンズシート）５２のヘイズ値Ｈ２を９０％としている。
【００４６】
なお、後述するが、ヘイズ値Ｈ１はその値が大きいほどスペックルノイズおよびシンチレーションの改善の効果が大きい。ヘイズ値Ｈ１が４０％程度以上であれば、スペックルノイズおよびシンチレーションの改善は、Ｆｐ×Ｍの値が４００以下であるという条件を満足すること、実験結果の値を用いて説明すればＦｐ×Ｍの値が３９５から３９３までの値以下であるという条件を満足することで大きな効果を得ることができる。
【００４７】
また、ヘイズ値Ｈ２に関しては、解像感を劣化させないためには、ヘイズ値Ｈ２をヘイズ値Ｈ１より大きくすることが有効である。ヘイズ値Ｈ２が８０〜９５％程度の範囲内であれば、スペックルノイズおよびシンチレーションの改善は、Ｆｐ×Ｍの値が４００以下であるという条件を満足すること、実験結果の値を用いて説明すればＦｐ×Ｍの値が３９５から３９３までの値以下であるという条件を満足することで大きな効果を得ることができる。
【００４８】
図９から図１１は、透過型スクリーンの構成を示す図である。投写型表示装置１０１の光学系である透過型スクリーン５は、入射光を略平行な光に変換して出射するフレネルレンズ（フレネルレンズシート）５１と、フレネルレンズ５１の出射光を所定の拡散光として出射するレンチキュラーレンズ（レンチキュラーレンズシート）５２とを含んで構成されている。また、透過型スクリーン５には、フレネルレンズ５１、レンチキュラーレンズ５２とともに拡散層５１ａ，５２ａが設けられている。
【００４９】
ここでは、拡散層５１ａ，５２ａの一例として、図９から図１１に示す透過型スクリーン５について説明する。図９に示す透過型スクリーン５は、フレネルレンズ５１とレンチキュラーレンズ５２のそれぞれの入射側に拡散層５１ａ，５２ａを配置している。また、図１０に示す透過型スクリーン５は、フレネルレンズ５１とレンチキュラーレンズ５２のそれぞれの出射側に拡散層５１ａ，５２ａを配置している。さらに、図１１に示す透過型スクリーン５は、フレネルレンズ５１とレンチキュラーレンズ５２の間に中間層５３を有している。ここで、図１１における、中間層５３は例えばガラス基材やアクリル基材の平板で形成され、透過型スクリーン５の剛性を向上させる作用を持つものである。
【００５０】
なお、フレネルレンズ５１とレンチキュラーレンズ５２の組み合わせは、図９から図１１に示した種類に限定されるものではなく、これら以外の他の組み合わせを用いてもよい。また、拡散層の数を３層以上にした透過型スクリーン５を用いてもよい。
【００５１】
図９から図１１において、フレネルレンズ５１の厚みをＴＦ、第１の拡散層であるフレネルレンズ５１の拡散層５１аの厚みをＤＴＦ、レンチキュラーレンズ５２の厚みをＴＬ、第２の拡散層であるレンチキュラーレンズ５２の拡散層５２аの厚みをＤＴＬとする。フレネルレンズ５１の厚みＴＦと拡散層５１аの厚みＤＴＦの関係、あるいは、レンチキュラーレンズ５２の厚みＴＬと拡散層５２аの厚みＤＴＬの関係を変化させた場合に、透過型スクリーン５上のスペックルノイズおよびシンチレーションがどのように変化するかを確認した。
【００５２】
図１２および図１３は、透過型スクリーンの光拡散層の厚みとぎらつき現象との関係を示す図である。拡散層５１ａ，５２ａは拡散材を含有しており、その拡散材の含有量はヘイズ値あるいは曇価（単位は％）で表現できる。図１２は、フレネルレンズ５１の拡散層５１аのヘイズＨ１を４０％、フレネルレンズ５１の厚みＴＦを２０００μｍとした時、拡散層５１аの厚みＤＴＦを１７０μｍ〜３１５μｍまで変化させた場合のスペックルノイズやシンチレーションのレベル（丸印で示す許容レベルまたはバツ印で示す非許容レベル）を示している。なお、レンチキュラーレンズ５２の拡散層５２аのヘイズＨ２は９０％、レンチキュラーレンズ５２の厚みＴＬは２０００μｍ、拡散層５２аの厚みＤＴＬは２７５μｍである。また、上述のＦｐ×Ｍの値は３３０である。
【００５３】
フレネルレンズ５１の拡散層５１аの厚みＤＴＦを変化させた場合に、透過型スクリーン５上のスペックルノイズおよびシンチレーションがどのように変化するかを確認した。その結果、拡散層厚み（ＤＴＦ）／フレネルレンズ厚み（ＴＦ）が０．１５０より小さく０．１３８以下の場合、つまり拡散層厚み（ＤＴＦ）が３００μｍより小さく２７５μｍ以下の場合、スペックルノイズおよびシンチレーションが許容レベルであることが分かった。ヘイズＨ１が４０％程度以上で、ヘイズＨ２が８０〜９５％程度の範囲であれば、同様の結果が得られる。
【００５４】
また、図１３は、レンチキュラーレンズ５２の拡散層５２аのヘイズＨ２を９０％、レンチキュラーレンズ５２の厚みＴＬを２０００μｍとした時、拡散層５２аの厚みＤＴＬを１７０μｍ〜３１５μｍまで変化させた場合のスペックルノイズやシンチレーションのレベル（丸印で示す許容レベルまたはバツ印で示す非許容レベル）を示している。なお、フレネルレンズ５１の拡散層５１аのヘイズＨ１は４０％、フレネルレンズ５１の厚みＴＦは２０００μｍ、拡散層５１аの厚みＤＴＦは２７５μｍである。また、上述のＦｐ×Ｍの値は３３０である。
【００５５】
レンチキュラーレンズ５２の拡散層５２аの厚みＤＴＬを変化させた場合に、透過型スクリーン５上のスペックルノイズおよびシンチレーションがどのように変化するかを確認した。その結果、拡散層厚み（ＤＴＬ）／レンチキュラーレンズ厚み（ＴＬ）が０．１５０より小さく０．１３８以下の場合、つまり拡散層厚み（ＤＴＬ）が３００μｍより小さく２７５μｍ以下の場合、スペックルノイズおよびシンチレーションが許容レベルであることが分かった。ヘイズＨ１が４０％程度以上で、ヘイズＨ２が８０〜９５％程度の範囲であれば、同様の結果が得られる。
【００５６】
ここで、理解を容易にするために図１２と図１３のスペックルノイズおよびシンチレーションを数値で表した結果を図１４と図１５に示す。スペックルノイズおよびシンチレーションの評価は、画面上の平均輝度に対して、ある閾値以上の輝度を持つ画素の数を数えて求める。なお、図１４と図１５中の凡例には、スペースの関係からスペックルノイズ／シンチレーションを単にシンチレーションとして記載している。また、スペックルノイズおよびシンチレーションは四角印（下段側）、解像感は菱形印（上段側）で示している。
【００５７】
図１４と図１５より、拡散層厚みＤＴＦ，ＤＴＬの値が２５０μｍより大きい場合と２５０μｍより小さい場合では、拡散層厚みＤＴＦ，ＤＴＬの値の変化に対するスペックルノイズおよびシンチレーション評価値の変化量が明らかに異なることが分かる。
【００５８】
つまり、拡散層厚みＤＴＦ，ＤＴＬの値が２５０μｍより大きい場合は、拡散層厚みＤＴＦ，ＤＴＬの値を下げることによるスペックルノイズおよびシンチレーション評価値の減少量が大きく、スペックルノイズおよびシンチレーション改善のために拡散層厚みＤＴＦ，ＤＴＬの値を下げることが有効であることが分かる。一方、拡散層厚みＤＴＦ、ＤＴＬの値が２５０μｍより小さい場合は、拡散層厚みＤＴＦ，ＤＴＬの値を下げることによるシンチレーション評価値の減少量が小さく、スペックルノイズおよびシンチレーション改善のために拡散層厚みＤＴＦ、ＤＴＬの値を下げることの効果が小さいことが分かる。
【００５９】
一方、図１４と図１５にはスペックルノイズおよびシンチレーション評価値と併せて解像感の値を示している。解像感の値は小さいほど画像が劣化し画像のボケが大きくなる。図１４と図１５より、解像感の値は拡散層の厚みＤＴＦ，ＤＴＬの値を変化させてもほぼ変化しないことが分かる。これより、拡散層の厚みＤＴＦ，ＤＴＬの値を小さくすることによるスペックルノイズおよびシンチレーションの改善は、解像感の劣化を伴わずに行うことができることが分かる。
【００６０】
なお、解像感は、解像度（ＣＴＦ：Ｃｏｎｔｒａｓｔ  Ｔｒａｎｓｆｅｒ  Ｆｕｎｃｔｉｏｎ）により求めている。具体的には、スクリーン上に均等間隔で並んだ線郡の画像を表示する。スクリーン上でライン状の白、黒を繰り返す場合に、投写画像の黒レベルは浮き上がる。投写画像強度の最大値をＰｍａｘ、最小値をＰｍｉｎとし、解像性能を示すＣＴＦを次の式（４）で定義する。
ＣＴＦ＝１００×（Ｐｍａｘ−Ｐｍｉｎ）／（Ｐｍａｘ＋Ｐｍｉｎ）・・・（４）
【００６１】
この場合、ＰｍａｘとＰｍｉｎとの光強度の差が小さくなり解像度が低くなるとＣＴＦ値は小さくなり、ＰｍａｘとＰｍｉｎとの光強度の差が大きくなり解像度が高くなるとＣＴＦ値は大きくなる。
【００６２】
以上より、拡散層厚みＤＴＦ，ＤＴＬによるスペックルノイズおよびシンチレーションの改善は、拡散層厚みＤＴＦ，ＤＴＬの値が２５０μｍ以下であるという条件を満足することで解像感の劣化を伴わずに効率良くできることが分かる。
【００６３】
また、ヘイズ値が４０％のフレネルレンズ（フレネルレンズシート）５１とヘイズ値９０％のレンチキュラーレンズ（レンチキュラーレンズシート）５２との両方とも拡散層の厚みＤＴＦ，ＤＴＬの値が２５０μｍ以下の条件であることから、２５０μｍ以下の条件においてヘイズ値の影響が低いことがわかる。
【００６４】
ここで、Ｆｐ×Ｍの値によるスペックルノイズおよびシンチレーションの改善と、拡散層厚みＤＴＦ，ＤＴＬによるスペックルノイズおよびシンチレーションの改善とを比較する。Ｆｐ×Ｍの値によるスペックルノイズおよびシンチレーションの改善と、拡散層厚みＤＴＦ，ＤＴＬによるスペックルノイズおよびシンチレーションの改善とは別個に改善効果を有する。しかし、本実施の形態１では、まずＦｐ×Ｍの値を下げることでスペックルノイズおよびシンチレーションの改善を行い、次に拡散層厚みＤＴＦ，ＤＴＬを薄くすることでの改善を行っている。
【００６５】
これは、Ｆｐ×Ｍの値による改善は、通常用いられているＦｐ×Ｍの値である６００近辺から上述でしめした４００近辺まで下げることにより、差で示すと約９７００であり、比率で求めると約０．０２４倍にまで低下する効果を得られている。一方、拡散層厚みＤＴＦ，ＤＴＬを薄くすることでの改善は、通常用いられている拡散層厚み３００μｍから２５０μｍまで薄くすることで、差で示すと約４４から６１であり比率で求めると約０．３倍から０．４倍にまで低下する効果が得られる。
【００６６】
例えば改善効果を比率で考えた場合、Ｆｐ×Ｍの値による改善は０．０２４倍の改善、拡散層厚みＤＴＦ，ＤＴＬを薄くすることでの改善は約０．３倍から０．４倍であり、約０．３５倍と考えると、０．３５／０．０２４＝１４．６となる。つまり、Ｆｐ×Ｍの値による改善効果が拡散層厚みＤＴＦ，ＤＴＬを薄くすることでの改善効果より約１５倍大きいことが分かる。このことから、まずＦｐ×Ｍの値によりスペックルノイズおよびシンチレーションの改善を行い、次に拡散層厚みＤＴＦ，ＤＴＬを薄くすることでスペックルノイズおよびシンチレーションの改善を行うことで、投写型表示装置１０１の構成を設計する上でＦｐ×Ｍの値を小さくすることと拡散層厚みＤＴＦ、ＤＴＬを薄くすることの弊害を最小限とし、過大なコストをかけずに効率良くスペックルノイズおよびシンチレーションの改善を行うことができることが分かる。
【００６７】
なお、Ｆｐ×Ｍの値を小さくすることは、投写光学系３を大きくすることになり、レンズの製作が困難となり、また、投写光学系３の小型化が困難となる。一方、拡散層厚みＤＴＦ，ＤＴＬを薄くすることは、フレネルレンズ５１とレンチキュラーレンズ５２の製作が困難となる。このため、まず製作可能な範囲でスペックルノイズおよびシンチレーションの改善効果の大きな対策から行い、目標値に対して足りない分を改善効果の低い対策で補うことは投写型表示装置１０１の全体の構成を考える上で重要である。
【００６８】
したがって、本実施の形態では、Ｆｐ×Ｍの値が４００以下であるという条件を満たすように、実験結果の値を用いて説明すればＦｐ×Ｍの値が３９５から３９３以下であるという条件を満たすように投写型表示装置１０１を構成し、これにより透過型スクリーン５へ入射する光の発散角が所定範囲内となるようにする。
【００６９】
さらに、本実施の形態では、フレネルレンズ５１の厚みＴＦと第１の拡散層５１аの厚みＤＴＦの関係である、拡散層厚み（ＤＴＬ）／レンチキュラーレンズ厚み（ＴＬ）が０．１５０より小さく０．１３８以下、つまり拡散層厚み（ＤＴＬ）が３００μｍより小さく２７５μｍ以下を満たすように構成する。さらにまた、本実施の形態では、レンチキュラーレンズ５２の厚みＴＬと第２の拡散層５２аの厚みＤＴＬの関係である、拡散層厚み（ＤＴＬ）／レンチキュラーレンズ厚み（ＴＬ）が０．１５０より小さく０．１３８以下、つまり拡散層厚み（ＤＴＬ）が３００μｍより小さく２７５μｍ以下を満たすように構成する。
【００７０】
なお、本実施の形態では、投写型表示装置１０１のライトバルブとして反射型光変調素子２を用いた場合を説明したが、投写型表示装置１０１には透過型あるいは反射型液晶表示素子などの他のライトバルブを用いてもよい。また、本実施の形態では、光源にレーザ光源１１を用いる場合について説明したが、光源はレーザ光源以外の超高圧水銀ランプやメタルハライドランプ等の他の光源であってもよい。
【００７１】
このように、実施の形態１では、投写光学系３のＦナンバーＦｐと投写光学系３の投影倍率Ｍとの積の値をＦｐ×Ｍの値が４００以下であるという条件を満たすように、実験結果の値を用いて説明すればＦｐ×Ｍの値が３９５から３９３以下であるという条件を満たすようによう構成し、加えて透過型スクリーン５の拡散層５１а，５２аの拡散層厚み（ＤＴＦ，ＤＴＬ）／フレネルレンズまたはレンチキュラーレンズ厚み（ＴＦ，ＴＬ）が０．１５０より小さく０．１３８以下、つまり拡散層厚み（ＤＴＦ，ＤＴＬ）が３００μｍより小さく２７５μｍ以下を満たすように規定しているので、高輝度な光源を用いた場合であっても、透過型スクリーン５上のスペックルノイズおよびシンチレーションをより効果的に低減することができる。
【００７２】
また、実施の形態１では、光源をレーザ光源１１で構成したので、寿命が長く色再現性がよい明るい光学系を構成することができる。また、実施の形態１では、照明光学系４に拡散素子４４を設けているので、効率良くスペックルノイズおよびシンチレーションを低減することができる。また、実施の形態１では、集光光学系１からの光束を、光強度均一化素子４１を用いて均一化しているので、照度ムラのない良好な画像が得られるとともに、スペックルノイズおよびシンチレーションを低減することができる。
【００７３】
このように実施の形態１によれば、透過型スクリーン５へ入射する光の発散角が所定範囲内となるよう、投写光学系３のＦナンバーＦｐと投影倍率Ｍ（Ｆｐ×Ｍの値）を所定範囲である４００以下であるという条件を満たすように、実験結果の値を用いて説明すればＦｐ×Ｍの値が３９５から３９３以下であるという条件を満たすように設定し、加えて透過型スクリーン５の拡散層５１а，５２аの厚みを拡散層厚み（ＤＴＦ，ＤＴＬ）／フレネルレンズまたはレンチキュラーレンズ厚み（ＴＦ，ＴＬ）が０．１５０より小さく０．１３８以下、つまり拡散層厚み（ＤＴＦ，ＤＴＬ）が３００μｍより小さく２７５μｍ以下を満たすように規定したので、高輝度な光が透過型スクリーン５に投影される場合であっても、スペックルノイズやシンチレーションをより効果的に低減して良質な画像を表示することが可能となる。
【００７４】
実施の形態２．
つぎに、図９から図１１、図１６を用いてこの発明の実施の形態２について説明する。実施の形態２では、透過型スクリーン５に少なくとも２層以上の拡散層を配置し、第１の拡散層の入射面と第２の拡散層の出射面との距離（外側の拡散層間距離すなわち拡散層間の最大距離）ＴＦＬｏが所定範囲内となるよう規定しておく。
【００７５】
図９から図１１における、第１の拡散層５１аの入射面と第２の拡散層５２аの出射面との距離ＴＦＬｏの値と透過型スクリーン５上で観測されるスペックルノイズやシンチレーションとの関係を図１６に示す。図１６からもわかるように、第１の拡散層５１аの入射面と第２の拡散層５２аの出射面との距離ＴＦＬｏの値を５ｍｍ以上で構成するとシンチレーション低減効果が高いことがわかる。本実施の形態では、シンチレーションが所定値（シンチレーション許容レベル）よりも低い範囲（シンチレーション許容範囲）となるよう、拡散層間距離ＴＦＬｏを規定する。
【００７６】
図１６の値を求めた条件は、投写光学系ＦナンバーＦｐと投影倍率Ｍの積は４２０、フレネルレンズ５１の拡散層５１аの厚みＤＴＦは２７５μｍでヘイズは４３％、レンチキュラーレンズ５２の拡散層５２аの厚みＤＴＬは２７５μｍでヘイズは９０％で構成した場合の実験結果である。
【００７７】
上述のように、距離ＴＦＬｏは第１の拡散層５１аと第２の拡散層５２аとの外側の面の距離を規定している。次に、第１の拡散層５１аと第２の拡散層５２аとの内側の面の距離ＴＦＬｉを規定して検討する。
【００７８】
また、図９から図１１に示すように、透過型スクリーン５に少なくとも２層以上の拡散層を配置し、透過型スクリーン５における最も入射側に配置されたフレネルレンズ５１の拡散層５１аを第１の拡散層とし、透過型スクリーン５における最も出射面側に配置されたレンチキュラーレンズ５２の拡散層５２аを第２の拡散層とする。この時、第１の拡散層の出射面と第２の拡散層の入射面との距離（内側の拡散層間距離すなわち拡散層間の最小距離）ＴＦＬｉとスペックルノイズやシンチレーションおよび解像感との関係について考察する。なお、本実施の形態で述べる内側の拡散層間距離ＴＦＬｉは光学的に空気厚みに換算した値とする。
【００７９】
ここで、図９から図１１における、第１の拡散層５１аの出射面と第２の拡散層５２аの入射面との距離ＴＦＬｉの値と透過型スクリーン５上で観測されるスペックルノイズやシンチレーションおよび解像感との関係を図１７に示す。図１７の値を求めた条件は、投写光学系ＦナンバーＦｐと投影倍率Ｍの積は４２０、フレネルレンズ５１の拡散層５１аの厚みＤＴＦは２７５μｍでヘイズは４３％、レンチキュラーレンズ５２の拡散層５２аの厚みＤＴＬは２７５μｍでヘイズは９０％で構成した場合の実験結果である。なお、図１７中の凡例には、スペースの関係からスペックルノイズ／シンチレーションを単にシンチレーションとして記載している。また、スペックルノイズおよびシンチレーションは四角印（下段側）、解像感は菱形印（上段側）で示している。
【００８０】
図１７から、スペックルノイズやシンチレーションは、内側の拡散層間距離ＴＦＬｉの値を大きく構成するにつれて低減していく（良好な画像を得られる）ことがわかる。しかし、それに反して内側の拡散間距離ＴＦＬｉを大きくすると解像感は劣化することがわかる。図１７においては、劣化するとボケが大きくなり、解像感の値は減少していく。つまり、解像感の値が小さくなるほど画像が劣化することになる。
【００８１】
従って、スペックルノイズやシンチレーションを低減するためには、拡散層間距離ＴＦＬｉを大きく構成すると効果があるが、解像感の劣化を抑えるように最適な距離ＴＦＬｉを取るように装置を構成する必要があり、図１７においては、内側の拡散層間距離ＴＦＬｉは４．５ｍｍから７．５ｍｍの間が好ましいことがわかる。
【００８２】
このように実施の形態２によれば、第１の拡散層５１аの入射面と第２の拡散層５２аの出射面との距離ＴＦＬｏの値が５ｍｍ以上となるように、または、第１の拡散層５１аの出射面と第２の拡散層５２аの入射面との距離ＴＦＬｉの値が４．５ｍｍから７．５ｍｍの間となるように透過型スクリーン５を構成しているので、スペックルノイズやシンチレーションを低減して良質な画像を表示することが可能となる。
【００８３】
次に、内側の拡散層間距離ＴＦＬｉと、拡散層５１а，５２аの厚みの関係について考察することにする。図９に示す拡散層５１а，５２аが入射側にある場合を基準として、拡散層５１а，５２аの厚みＤＴＦ，ＤＴＬを厚くすると内側の拡散層間距離ＴＦＬｉがどう構成されるかについて図１８から図２０に示す。図１８は、拡散層５１а、５２аが厚くなっても、フレネルレンズスクリーン５１の厚みＴＦおよびレンチキュラーレンズ５２の厚みＴＬは変わらないようにしており、内側の拡散層間距離ＴＦＬｉは短くなる構成例である。図１９は、拡散層５１а、５２аを厚くするとともに、厚みＴＦ、ＴＬも厚くしており、フレネルレンズスクリーン５１とレンチキュラーレンズ５２が近づき、同じく内側の拡散層間距離ＴＦＬｉが短くなる構成例である。一方、図２０に示した例は、図１８と同様に拡散層５１аと５２аおよび、厚みＴＦとＴＬを厚くしているが、内側の拡散層間距離ＴＦＬｉは図９と同じ距離を保つように配置した構成例である。
【００８４】
図１８から図２０に示したように、拡散層５１а，５２аの厚みＤＴＦ，ＤＴＬを厚くすると、内側の拡散層間距離ＴＦＬｉが短くなるか、あるいは内側の拡散層距離ＴＦＬｉを同じとした場合、透過型スクリーン５の総厚みが厚くなるかのどちらかで構成されることとなる。なお、図１８から図２０においては、拡散層５１а，５２аを入射側に配置した場合について考察したが、図１０に示すように拡散層５１а，５２аを出射側に構成した場合、あるいは入射側、出射側の組み合わせを変化した場合においても同様の結果となる。
【００８５】
しかし、図１７に示したように、内側の拡散層間距離ＴＦＬｉとスペックルノイズおよびシンチレーションと解像感は密接な関係にあり、良好な性能を得るためには、内側の拡散層間距離ＴＦＬｉを４．５ｍｍから７．５ｍｍで構成する必要がある。この場合、拡散層５１аと５２аの厚みを厚く構成すると、図２０に示すように、透過型スクリーン５の総厚みが厚くなるように構成されることとなる。
【００８６】
拡散層５１а，５２аの厚みが異なる場合、スペックルノイズおよびシンチレーション低減効果がどうなるかについて図２１、図２２で概念的に説明する。拡散層５１ａ，５２ａは拡散材を含有しており、その拡散材の含有量はヘイズ値あるいは曇価（単位は％）で表現できる。図２１および図２２は、拡散層５１а，５２аの厚みは異なるが、ヘイズ値が同一となるように構成している。この場合、図２１と図２２では、拡散層５１а、５２аの厚み（すなわち拡散層５１а，５２аにおける光路長）が異なるため、図２２のように拡散層５１а，５２аの厚みを薄く構成するということは光路長が短くなることになる。光路長が短くなった場合、同一のヘイズ値にするためには、拡散充填率を向上する必要がある。
【００８７】
図２２に示したように拡散層５１а，５２аの厚みを薄くし、拡散充填率を向上した場合、拡散層５１а，５２аに入射した光６１および６２が、拡散要素５４によって拡散される確率が向上するため、図２１のような拡散層５１а，５２аの厚みが厚い場合と比較して、より不規則な光となって観測者側に出射されるため、スペックルノイズおよびシンチレーションを低減する効果が高くなる。
【００８８】
一方、ヘイズ値Ｈ１，Ｈ２を上げることにより、拡散層５１а，５２аの厚みが厚くても、拡散充填率を向上することは可能であるが、その場合、明るさが低下するとともに解像感も劣化してしまうため好ましくない。
【００８９】
なお、図１７においては、図１８に示したように、拡散層５１а，５２аの厚みのみを変えて、内側の拡散層間距離ＴＦＬｉを変化した結果を示しているが、図１９および図２０の構成についても拡散層間距離ＴＦＬとスペックルノイズとシンチレーションおよび解像感の関係は同様の結果となる。
【００９０】
また、図１７においては、投写光学系ＦナンバーＦｐと投影倍率Ｍの積は４２０、フレネルレンズ５１の拡散層５１аのヘイズは４３％、レンチキュラーレンズ５２の拡散層５２аのヘイズは９０％で構成した場合について実験した結果であるが、投写光学系ＦナンバーＦｐと投影倍率Ｍの積をさらに小さくした場合においても、拡散層間距離ＴＦＬを４．５ｍｍ以上かつ７．５ｍｍ以下で構成すれば、スペックルノイズおよびシンチレーションを低減する効果がさらに高まることになる。
【００９１】
実施の形態３．
つぎに、図２３および図２４を用いてこの発明の実施の形態３について説明する。実施の形態３では、透過型スクリーン５に少なくとも２層以上の拡散層を配置し、拡散層の拡散率（ヘイズ値）が所定範囲内となるよう規定しておく。
【００９２】
フレネルレンズ５１の拡散層５１ａとレンチキュラーレンズ５２の拡散層５２ａは拡散材を含有しており、その拡散材の含有量はヘイズ値あるいは曇価（単位は％）で表現できる。ここでは、拡散層５１ａのヘイズ値がヘイズ値Ｈ１であり、拡散層５２ａのヘイズ値がヘイズ値Ｈ２である場合について説明する。
【００９３】
拡散層５１ａのヘイズ値Ｈ１または拡散層５２ａのヘイズ値Ｈ２を高くすると、透過型スクリーン５上で観測されるスペックルノイズやシンチレーションは減少する。しかしながら、拡散層５１ａのヘイズ値Ｈ１を高くすると、正面輝度が低下するとともに解像感が劣化するという問題がある。一方、拡散層５２ａのヘイズ値Ｈ２を高くすると、正面輝度が低下するとともに、ある所定のヘイズ値以上になるとスペックルノイズやシンチレーションを低減させる効果が小さくなってしまう。
【００９４】
ここで、拡散層５１ａのヘイズ値Ｈ１と拡散層５２ａのヘイズ値Ｈ２を種々変化させた場合の、透過型スクリーン５の明るさを示すピークゲイン（ＰＧ）と、ぎらつき現象（スペックルノイズおよびシンチレーション）の低減効果について説明する。図２３は、ヘイズ値を変化させた場合のＰＧと、ぎらつき現象の低減効果を検証した結果を示す図である。図２３では、拡散層５１ａのヘイズ値Ｈ１と、このヘイズ値Ｈ１でのＰＧおよびぎらつき現象（スペックルノイズおよびシンチレーション）の低減効果との関係を示している。なお、検証に用いた拡散層５１ａの具体的なヘイズ値Ｈ１の値は、ヘイズ値Ｈ１が小さい場合が４０％であり、ヘイズ値Ｈ１が大きい場合が７２％であった。また、このときフレネルレンズ５１に組み合わせた５種類のレンチキュラーレンズ５２の拡散層５２ａのヘイズ値Ｈ２の値は、８０％から９５％の間であった。
【００９５】
フレネルレンズ５１の拡散層５１ａのヘイズ値Ｈ１が大きい場合と小さい場合の２種類と、拡散層５２ａのヘイズ値Ｈ２の値が異なる５種類のレンチキュラーレンズ５２と、を種々組み合わせた場合の、ＰＧとスペックルノイズおよびシンチレーションの低減効果について確認した。
【００９６】
その結果、拡散層５１ａのヘイズ値Ｈ１が小さい場合には、レンチキュラーレンズ５２の種類によってはＰＧが低下するものがあった。しかしながら、拡散層５１ａのヘイズ値Ｈ１が小さい場合、フレネルレンズ５１を何れのレンチキュラーレンズ５２と組み合わせた場合であっても、スペックルノイズおよびシンチレーションの低減効果が許容レベル（スペックルノイズおよびシンチレーションの許容限界Ｌ１）に達するものはなかった。
【００９７】
一方、拡散層５１ａのヘイズ値Ｈ１が大きい場合には、拡散層５２ａのヘイズ値Ｈ２が所定値よりも大きくなれば（ＰＧが小さくなれば）、スペックルノイズおよびシンチレーションの低減効果が格段に高くなり、許容限界Ｌ１に達するものが多かった。すなわち、拡散層５１ａのヘイズ値Ｈ１の値を大きくすると、スペックルノイズおよびシンチレーションを低減する効果が高まることがわかった。
【００９８】
つぎに、拡散層５２ａのヘイズ値Ｈ２が８０％であるレンチキュラーレンズ５２と、５種類のフレネルレンズ５１とを種々組み合わせた場合の、ＰＧ、スペックルノイズおよびシンチレーションの低減効果、解像感について検証した。図２４は、ヘイズ値を変化させた場合のＰＧ、ぎらつき現象の低減効果、解像感を検証した結果を示す図である。図２４では、拡散層５１ａのヘイズ値Ｈ１と、このヘイズ値Ｈ１でのＰＧ、スペックルノイズおよびシンチレーションの低減効果、解像感の程度との関係を示している。
【００９９】
５種類のフレネルレンズ５１の拡散層５１ａのヘイズ値Ｈ１の値は、それぞれ４０％から８２％であり、ヘイズ値Ｈ１が８２％のもの（拡散層５１ａのヘイズ値Ｈ１である８０％より高いもの）については、スペックルノイズおよびシンチレーションの低減効果は高かったが、解像感の劣化が大きくなってしまった。このように、拡散層５１ａのヘイズ値Ｈ１を高くするとスペックルノイズおよびシンチレーションの低減効果は高くなるが、ヘイズ値Ｈ１を拡散層５２ａのヘイズ値Ｈ２よりも大きくすると解像感が劣化してしまうことがわかった。したがって、拡散層５１ａのヘイズ値Ｈ１を拡散層５２ａのヘイズ値Ｈ２よりも小さく構成することによって、スペックルノイズおよびシンチレーションの低減効果を高めつつ、解像感を良好にすることが可能となる。したがって、本実施の形態では、ヘイズ値Ｈ１を高くするとともにヘイズ値Ｈ１をヘイズ値Ｈ２よりも小さくする。
【０１００】
このように実施の形態３によれば、ヘイズ値Ｈ１の大きな拡散層５１ａであって、かつ拡散層５２ａのヘイズ値Ｈ２よりも小さなヘイズ値Ｈ１の拡散層５１ａを用いて透過型スクリーン５を構成しているので、スペックルノイズやシンチレーションを低減して良質な画像を表示することが可能となる。
【０１０１】
実施の形態４．
つぎに、図２５および図２６を用いてこの発明の実施の形態４について説明する。実施の形態４では、レンチキュラーレンズ５２の拡散層５２ａが少なくとも２種類の拡散材（拡散要素）を含有するよう、拡散層５２ａを構成する。
【０１０２】
図２５、２６は、本発明の実施の形態４に係る投写型表示装置の光学系の構成を示す図である。図２５、２６では、レンチキュラーレンズ５２の拡散層５２ａの構造を概念的に示している。投写型表示装置１０１の光学系である透過型スクリーン５は、レンチキュラーレンズ５２を含んで構成されており、レンチキュラーレンズ５２の拡散層５２ａが少なくとも２種類の拡散材を含有している。拡散層５２ａは、拡散材の材料（屈折率）、拡散材の大きさ、拡散材の形状などが異なる拡散材を組み合わせて構成されている。
【０１０３】
図２５は、拡散材の大きさが異なる場合の拡散層の一例を示しており、図２６は、拡散材の大きさおよび形状が異なる場合の拡散層の一例を示している。図２５に示すように、レンチキュラーレンズ５２の拡散層５２ａは、大きさの異なる少なくとも２種類の拡散材５５Ａ，５５Ｂを含有している。また、図２６に示すように、レンチキュラーレンズ５２の拡散層５２ａは、大きさおよび形状の異なる少なくとも２種類の拡散材５６Ａ，５６Ｂを含有している。これにより、レンチキュラーレンズ５２に入射した光６１および光６２は、１種類の拡散材で拡散層５２ａを構成した場合よりも不規則な拡散光となって観測者側に出射される。
【０１０４】
このように実施の形態４によれば、投写型表示装置１０１は、レンチキュラーレンズ５２の拡散層５２ａが少なくとも２種類の拡散材を含有するよう構成されているので、レンチキュラーレンズ５２に入射した光６１および光６２が不規則な拡散光となって観測者側に出射される。このため、スペックルノイズおよびシンチレーションの低減効果が高まり、良好な画像を提供することが可能となる。
【０１０５】
実施の形態５．
つぎに、図２７および図２８を用いてこの発明の実施の形態５について説明する。実施の形態５では、フレネルレンズ５１の拡散層５１ａが少なくとも２種類の拡散材（拡散要素）を含有するよう、拡散層５１ａを構成する。
【０１０６】
図２７、２８は、本発明の実施の形態５に係る投写型表示装置の光学系の構成を示す図である。図２７、２８では、フレネルレンズ５１の拡散層５１ａの構造を概念的に示している。投写型表示装置１０１の光学系である透過型スクリーン５は、フレネルレンズ５１を含んで構成されており、フレネルレンズ５１の拡散層５１ａが少なくとも２種類の拡散材を含有している。拡散層５１ａは、拡散材の材料（屈折率）、拡散材の大きさ、拡散材の形状などが異なる拡散材を組み合わせて構成されている。
【０１０７】
図２７は、拡散材の大きさが異なる場合の拡散層の一例を示しており、図２８は、拡散材の大きさおよび形状が異なる場合の拡散層の一例を示している。図２７に示すように、フレネルレンズ５１の拡散層５１ａは、大きさの異なる少なくとも２種類の拡散材５７Ａ，５７Ｂを含有している。また、図２８に示すように、フレネルレンズ５１の拡散層５１ａは、大きさおよび形状の異なる少なくとも２種類の拡散材５８Ａ，５８Ｂを含有している。これにより、フレネルレンズ５１に入射した光６１および光６２は、１種類の拡散材で拡散層５１ａを構成した場合よりも不規則な拡散光となって観測者側に出射される。
【０１０８】
このように実施の形態５によれば、投写型表示装置１０１は、フレネルレンズ５１の拡散層５１ａが少なくとも２種類の拡散材を含有するよう構成されているので、フレネルレンズ５１に入射した光６１および光６２が不規則な拡散光となって観測者側に出射される。このため、スペックルノイズおよびシンチレーションの低減効果が高まり、良好な画像を提供することが可能となる。
【０１０９】
実施の形態６．
つぎに、図２９から図３２を用いてこの発明の実施の形態６について説明する。これまでの実施の形態においては、フレネルレンズ５１の拡散層５１аおよびレンチキュラーレンズ５２の拡散層５２аに含まれる拡散材の材料や形状、大きさが異なる例を示したが、本実施の形態においては、フレネルレンズ５１あるいはレンチキュラーレンズ５２の出射面に拡散要素を追加した例を説明する。
【０１１０】
図２９から図３２は、本発明の実施の形態６に係る投写型表示装置の光学系の構成を示す図である。図２９から図３２では、フレネルレンズ５１あるいはレンチキュラーレンズ５２の拡散層５１ａ，５２ａの構造を概念的に示している。投写型表示装置１０１の光学系である透過型スクリーン５は、フレネルレンズ５１またはレンチキュラーレンズ５２を含んで構成されており、フレネルレンズ５１の拡散層５１ａまたはレンチキュラーレンズ５２の拡散層５２ａが少なくとも２種類の拡散材を含有している（図２９から図３２においては３種類）。拡散層５１ａまたは拡散層５２ａは、拡散材の材料（屈折率）、拡散材の大きさ、拡散材の形状などが異なる拡散材と、さらにレンズ作用を持つ拡散層を組み合わせて構成されている。
【０１１１】
図２９に示すように、フレネルレンズ５１あるいはレンチキュラーレンズ５２の拡散層５１ａあるいは拡散層５２ａは、大きさの異なる２種類の拡散材１５５Ａ，１５５Ｂと、レンズ構造を持つ拡散要素１５５Ｃを含有している。これにより、フレネルレンズ５１およびレンチキュラーレンズ５２に入射した光６１および光６２は、１種類の拡散要素で拡散層５１ａまたは拡散層５２ａを構成した場合よりも不規則な拡散光となって観測者側に出射される。
【０１１２】
同様に、図３０に示すように、フレネルレンズ５１あるいはレンチキュラーレンズ５２の拡散層５１ａあるいは拡散層５２ａは、大きさおよび形状の異なる２種類の拡散材１５６Ａ，１５６Ｂと、レンズ構造を持つ拡散要素１５６Ｃを含有している。これにより、フレネルレンズ５１およびレンチキュラーレンズ５２に入射した光６１および光６２は、１種類の拡散要素で拡散層５１ａまたは拡散層５２ａを構成した場合よりも不規則な拡散光となって観測者側に出射される。
【０１１３】
さらに、図３１に示すように、フレネルレンズ５１あるいはレンチキュラーレンズ５２の拡散層５１ａあるいは拡散層５２ａは、大きさの異なる２種類の拡散材１５７Ａ，１５７Ｂと、プリズムレンズ構造を持つ拡散要素１５７Ｃを含有している。これにより、フレネルレンズ５１およびレンチキュラーレンズ５２に入射した光６１および光６２は、１種類の拡散要素で拡散層５１ａまたは拡散層５２ａを構成した場合よりも不規則な拡散光となって観測者側に出射される。
【０１１４】
さらに同様に、図３２に示すように、フレネルレンズ５１あるいはレンチキュラーレンズ５２の拡散層５１ａあるいは拡散層５２ａは、大きさおよび形状の異なる２種類の拡散材１５８Ａ，１５８Ｂと、プリズムレンズ構造を持つ拡散要素１５８Ｃを含有している。これにより、フレネルレンズ５１およびレンチキュラーレンズ５２に入射した光６１および光６２は、１種類の拡散要素で拡散層５１ａまたは拡散層５２ａを構成した場合よりも不規則な拡散光となって観測者側に出射される。
【０１１５】
なお、図２９から図３２においては、拡散層５１ａ，５２ａをいずれも３種類の異なる拡散要素で構成した場合について説明したが、拡散要素は３種類に限定されるものではない。また、図２９から図３２においては、いずれもフレネルレンズ５１およびレンチキュラーレンズ５２の出射側に拡散要素を配置しているが、拡散要素の配置位置は出射側に限定されるものではない。また、図２９、図３０における拡散要素１５５Ｃと１５６Ｃをレンズ構造とし、図３１、図３２における拡散要素１５７Ｃと１５８Ｃをプリズムレンズ構造としたが、これらの構造は限定されるものではない。
【０１１６】
このように実施の形態６によれば、投写型表示装置１０１は、フレネルレンズ５１あるいはレンチキュラーレンズ５２の拡散層５１ａおよび拡散層５２аが少なくとも２種類の拡散要素を含有するよう構成されているので、フレネルレンズ５１およびレンチキュラーレンズ５２に入射した光６１および光６２が不規則な拡散光となって観測者側に出射される。このため、スペックルノイズおよびシンチレーションの低減効果が高まり、良好な画像を提供することが可能となる。
【０１１７】
実施の形態７．
つぎに、図３３を用いてこの発明の実施の形態７について説明する。本実施の形態７では、集光光学系１に光ファイバ１３を追加した例について説明する。図３３は、実施の形態７に係る投写型表示装置の構成を示す図である。図３３の各構成要素のうち図１に示す実施の形態１の投写型表示装置１０１と同一機能を達成する構成要素については同一番号を付しており、重複する説明は省略する。
【０１１８】
投写型表示装置１０２の集光光学系１Ｘは、複数色（図３３においては３色）のレーザ光源１１と、レーザ光源１１から出射された光束を１から複数枚のレンズやミラーで集光する複数枚（図３３においては３枚）の集光レンズ（集光部）１２と、集光レンズ１２から出射された光束を照明光学系４に導く複数本（図３３においては３本）の光ファイバ１３とから構成されている。
【０１１９】
集光光学系１Ｘでは、１つのレーザ光源１１に、１つの集光レンズ１２と１つの光ファイバ１３を対応させている。したがって、各レーザ光源１１から出射された光束は、それぞれのレーザ光源１１に対応する集光レンズ１２と光ファイバ１３を介して照明光学系４に導かれる。
【０１２０】
照明光学系４は、集光光学系１Ｘ（光ファイバ１３）から出射された光束の強度分布を均一化する光強度均一化素子４１と、リレーレンズ群４２と、拡散素子４４と、第１ミラー４３ａおよび第２ミラー４３ｂから構成されるミラー群４３と、を有している。そして、照明光学系４は、リレーレンズ群４２とミラー群４３によって、光強度均一化素子４１から出射した光束を反射型光変調素子２に導いている。
【０１２１】
このように、実施の形態７では、レーザ光源１１から出射された光束を、光ファイバ１３を用いて照明光学系４へ導く構成としたので、光学系の配置に柔軟性を持たせることができるとともに、光束の取り込み効率が高い光学系を構成できる。さらに、光ファイバ１３内で光束が多重反射されるので、スペックルノイズおよびシンチレーションを低減させて均一性の高い画像を得ることができる。
【０１２２】
なお、実施の形態１から７の構成を組み合わせて投写型表示装置を構成してもよい。これにより、簡易な構成でスペックルノイズやシンチレーションを低減して良質な画像を表示することが可能となる。
【産業上の利用可能性】
【０１２３】
以上のように、本発明に係る投写型表示装置は、透過型スクリーン上への画像表示に適している。
【符号の説明】
【０１２４】
１，１Ｘ  集光光学系
２  反射型光変調素子
２ａ  被照明面
３  投写光学系
４  照明光学系
５  透過型スクリーン
１１  レーザ光源
１２  集光レンズ
１３  光ファイバ
１４  波長板
４１  光強度均一化素子
４２  リレーレンズ群
４３  ミラー群
４３ａ  第１ミラー
４３ｂ  第２ミラー
４４  拡散素子
５１  フレネルレンズ
５１ａ，５２ａ  拡散層
５２  レンチキュラーレンズ
５３  中間層
５４，５５Ａ〜５８Ａ，５５Ｂ〜５８Ｂ，１５５Ａ〜１５８Ａ，１５５Ｂ〜１５８Ｂ  
拡散材
１５５Ｃ〜１５８Ｃ  拡散要素
１０１，１０２  投写型表示装置
【図１】
2011090280.tif 000003
【図２】
2011090280.tif 000004
【図３】
2011090280.tif 000005
【図４】
2011090280.tif 000006
【図５】
2011090280.tif 000007
【図６】
2011090280.tif 000008
【図７】
2011090280.tif 000009
【図８】
2011090280.tif 000010
【図９】
2011090280.tif 000011
【図１０】
2011090280.tif 000012
【図１１】
2011090280.tif 000013
【図１２】
2011090280.tif 000014
【図１３】
2011090280.tif 000015
【図１４】
2011090280.tif 000016
【図１５】
2011090280.tif 000017
【図１６】
2011090280.tif 000018
【図１７】
2011090280.tif 000019
【図１８】
2011090280.tif 000020
【図１９】
2011090280.tif 000021
【図２０】
2011090280.tif 000022
【図２１】
2011090280.tif 000023
【図２２】
2011090280.tif 000024
【図２３】
2011090280.tif 000025
【図２４】
2011090280.tif 000026
【図２５】
2011090280.tif 000027
【図２６】
2011090280.tif 000028
【図２７】
2011090280.tif 000029
【図２８】
2011090280.tif 000030
【図２９】
2011090280.tif 000031
【図３０】
2011090280.tif 000032
【図３１】
2011090280.tif 000033
【図３２】
2011090280.tif 000034
【図３３】
2011090280.tif 000035